(57)【要約】【目的】  ネットワーク全体の不整合を回避するアドレス管理方法及び装置を提供する。【構成】  少なくとも１つの加入者通信装置からの通信ネットワークを介したアドレス割当要求に応じて、複数のアドレスのうちの未割当アドレスの何れか１つを割当アドレスとして該加入者通信装置に返信するアドレス管理方法であり、該割当アドレスを該加入者通信装置の稼働期間とに対応付けて保持する。該加入者通信装置の加入解約要求に応じて、該加入者通信装置に対応している割当アドレスを解放アドレスとし、該稼働期間の経過を待って該解放アドレスを該未割当アドレスの１つに変更する。本発明によるアドレス管理装置は、該通信ネットワークに接続されて、かかる方法を実行する。【選択図】図１
2005217595.tif 000002
【特許請求の範囲】
【請求項１】
少なくとも１つの加入者通信装置からの通信ネットワークを介したアドレス割当要求に応じて、複数のアドレスのうちの未割当アドレスの何れか１つを割当アドレスとして前記加入者通信装置に返信するアドレス管理方法であって、
前記割当アドレスを前記加入者通信装置の稼働期間とに対応付けて保持するアドレス保持ステップと、
前記加入者通信装置の加入解約要求に応じて、前記加入者通信装置に対応している割当アドレスを解放アドレスとし、前記稼働期間の経過を待って前記解放アドレスを前記未割当アドレスの１つに変更するアドレス状態変更ステップと、
を含むことを特徴とするアドレス管理方法。
【請求項２】
前記アドレス保持ステップは、前記割当アドレスを、前記加入者通信装置の装置識別子に対応付けて保持するステップを更に含み、前記加入者通信装置からの割当要求は、自身の装置識別子に対応するアドレスを要求することを特徴とする請求項１記載のアドレス管理方法。
【請求項３】
通信ネットワークに接続され、少なくとも１つの加入者通信装置からの通信ネットワークを介したアドレス割当要求に応じて、複数のアドレスのうちの未割当アドレスの何れか１つを割当アドレスとして前記加入者通信装置に返信するアドレス管理装置であって、
前記割当アドレスを前記加入者通信装置の稼働期間とに対応付けて保持するアドレス保持手段と、
前記加入者通信装置の加入解約要求に応じて、前記加入者通信装置に対応している割当アドレスを解放アドレスとし、前記稼働期間の経過を待って前記解放アドレスを前記未割当アドレスの１つに変更するアドレス状態変更手段と、
を含むことを特徴とするアドレス管理装置。
【請求項４】
前記アドレス保持手段は、前記割当アドレスを、前記加入者通信装置の装置識別子に対応付けて保持する手段を更に含み、前記加入者通信装置からの割当要求は、自身の装置識別子に対応する割当アドレスを要求することを特徴とする請求項３記載のアドレス管理装置。
【請求項５】
ＤＨＣＰサーバを含み、前記通信ネットワークはＩＰネットワークであり、前記装置識別子はＭＡＣアドレスであることを特徴とする請求項３記載のアドレス管理装置。
【発明の詳細な説明】
【技術分野】
【０００１】
本発明は、ＩＰ電話端末に接続されるターミナルアダプタの如き通信ネットワークノードを構成する通信装置に割り当てられるべきアドレスを管理するアドレス管理方法及び装置に関する。
【背景技術】
【０００２】
ＩＰ電話端末に接続されるターミナルアダプタの如きＩＰネットワークノードを構成する通信装置にＩＰアドレスを割り当てる方法としては、例えば、ＤＨＣＰ（Dynamic Host Configuration Protocol）プロトコルを用いる方法が通常である。ＤＨＣＰについては、非特許文献１が参照される。
【０００３】
ＤＨＣＰの如きプロトコルにおけるＩＰアドレスの割り当ては、クランアントの要求に応じてサーバがＩＰアドレスの割り当てを行うことで実現される。例えば、ＩＰアドレスの割り当てられていないＩＰネットワークノード、例えばターミナルアダプタが、先ず、ＩＰアドレス割り当て要求をＤＨＣＰサーバに送信する。これに応じて、ＤＨＣＰサーバは、空いているすなわち未割り当て状態のＩＰアドレスを検索し、該検索されたＩＰアドレスを該ターミナルアダプタに返信する。このＩＰアドレスを受信したターミナルアダプタは、これを自身のＩＰアドレスとして設定することで以後ＩＰ通信を実現する。
【非特許文献１】ＩＥＴＦ仕様（ＲＦＣ２１３１，ＲＦＣ２１３２）
【発明の開示】
【発明が解決しようとする課題】
【０００４】
しかしながら、ＤＨＣＰサーバを使用してターミナルアダブタのＩＰアドレスをクライアント側の要求に応じて行う受動的な管理方法及び装置によっては、ネットワーク全体を通したアドレスの割り当てに不整合を発生することがある。例えば、一定期間だけ使用を許与するターミナルアダプタを利用者に事前配布するようなリース形態の利用においては、リース期間の満了時又は利用者の解約に応じて管理側が積極的にアドレス割り当てを解消する必要がある。この場合に、管理側がたとえあるアドレスの割り当てを取り消して他のクライアントに割り当てようとしても、従前のクライアントが当該アドレスにおいて動作し続けることからアドレスの重複が発生してしまう。かかる不整合は、重複したアドレスに関連する通信装置の通信が不可能となるばかりか、ネットワーク全体の運用に不都合を発生することとなる。
【０００５】
本発明は、以上の問題点に鑑みてなされたものであり、その目的は、通信ネットワークにおけるアドレス不整合を回避するアドレス管理方法及び装置を提供することである。
【課題を解決するための手段】
【０００６】
本発明によるアドレス管理方法は、少なくとも１つの加入者通信装置からの通信ネットワークを介したアドレス割当要求に応じて、複数のアドレスのうちの未割当アドレスの何れか１つを割当アドレスとして該加入者通信装置に返信するアドレス管理方法であり、該割当アドレスを該加入者通信装置の稼働期間とに対応付けて保持するアドレス保持ステップと、該加入者通信装置の加入解約要求に応じて、該加入者通信装置に対応している割当アドレスを解放アドレスとし、該稼働期間の経過を待って該解放アドレスを該未割当アドレスの１つに変更するアドレス状態変更ステップとを含むことを特徴とする。
【０００７】
本発明によるアドレス管理装置は、通信ネットワークに接続され、少なくとも１つの加入者通信装置からの通信ネットワークを介したアドレス割当要求に応じて、複数のアドレスのうちの未割当アドレスの何れか１つを割当アドレスとして該加入者通信装置に返信するアドレス管理装置であり、該割当アドレスを該加入者通信装置の稼働期間とに対応付けて保持するアドレス保持手段と、該加入者通信装置の加入解約要求に応じて、該加入者通信装置に対応している割当アドレスを解放アドレスとし、該稼働期間の経過を待って該解放アドレスを該未割当アドレスの１つに変更するアドレス状態変更手段とを含むことを特徴とする。
【実施例】
【０００８】
本発明の実施例について添付の図面を参照して詳細に説明する。
【０００９】
図１は、本発明の第１の実施例を示し、加入者情報管理装置１００を含む全体の構成を示している。ここで、複数の電話機２１０ａ乃至２１０ｃが複数のターミナルアダプタ２００ａ乃至２００ｃを各々介してＩＰネットワーク５００に接続されている。複数の電話機２１０ａ乃至２１０ｃの各々は通常の電話端末である。ＩＰネットワーク５００には、更に、加入者情報管理装置１００と、ＤＨＣＰサーバ３００と、ＩＰ電話交換機４００とが接続される。本実施例においては、１つのＩＰ電話交換機４００、３つの電話機２１０ａ乃至２１０ｃ、３つのターミナルアダプタ２００ａ乃至２００ｃが１つのＩＰネットワーク５００に接続された例が示されているが、本発明によるアドレス管理方法及び装置はかかる数に限定されない。ターミナルアダプタ２００ａ乃至２００ｃ及び電話機２１０ａ乃至２１０ｃにおけるターミナルアダプタ及び対応する電話機の組み合わせは、本発明における１つの加入者通信装置を構成する。
【００１０】
複数のターミナルアダプタ２００ａ乃至２００ｃの各々は、通常の電話端末をＩＰネットワーク５００に接続可能とし、ＩＰネットワークにおいて電話通信を実現するアダプタである。これらは、ＩＰネットワークにおける呼接続及び解放の呼制御をなす制御信号と通常のアナログ制御信号との相互変換機能と共に、音声コーデックを用いてＩＰパケット形式によるデジタル信号とアナログ音声信号との相互変換をなす機能を有する。
【００１１】
複数のターミナルアダプタ２００ａ乃至２００ｃの各々は、ＩＰネットワークよりも下位レイヤーに属するネットワーク（例えばイーサネット（登録商標）如きネットワーク）における識別子としてＭＡＣアドレスを通常製造時から備える。複数のターミナルアダプタ２００ａ乃至２００ｃの各々は、ＩＰ電話を実現するために、更に、ＩＰネットワーク５００における識別情報としてＩＰアドレスが割り付けられＩＰネットワーク５００における１つのネットワークノードを各々構成する必要がある。複数のターミナルアダプタ２００ａ乃至２００ｃの各々は、好ましくはリース期間の如き稼働期間の情報を受信及び記憶し、該稼働期間の完了毎にＩＰアドレスの再取得をなす機能を備える。
【００１２】
加入者情報管理装置１００は、ＩＰネットワーク５００に接続される１つのサーバ装置として実現され、ＩＰネットワーク５００に接続される加入者の電話機２１０ａ乃至２１０ｃ及びターミナルアダプタ２００ａ乃至２００ｃの管理、ＤＨＣＰサーバ３００の管理及びＩＰ電話交換機４００の管理を行うサーバ装置である。加入者情報管理装置１００は、データ設定部１０１と、ＤＨＣＰサーバ設定処理部１０２と、サービスオーダー処理部１０３と、払い出しＩＰアドレス管理部１０４と、管理情報ＤＢ１０５とを含み、更に加入者の登録又は解約入力を行うための操作入出力機能を備える。尚、加入者情報管理装置１００と後述するＤＨＣＰサーバ３００は、本発明における１つのアドレス管理装置を構成する。
【００１３】
管理情報ＤＢ１０５には、加入者のＩＰ電話番号、ターミナルアダプタのＭＡＣアドレス及びＩＰアドレス等の加入者個人情報が設定される加入者個人情報１０６と、ＩＰ電話交換機４００のＩＰアドレス等の管理情報が設定されるＩＰ電話交換機情報１０７と、ＤＨＣＰサーバ５００のＩＰアドレス等の管理情報が設定されるＤＨＣＰサーバ情報１０８とを含む。ＤＨＣＰサーバ情報１０８には、更に、ＭＡＣ−ＩＰ情報テーブル１０９が含まれる。
【００１４】
データ設定部１０１は、ＩＰ電話サービスの加入者個人情報の管理を行う。データ設定部１０１は、加入者からＩＰ電話サービスの登録要求があった場合に、操作者の操作入力によりＩＰ電話番号及び予め貸与されるターミナルアダプタのＭＡＣアドレスを管理情報ＤＢ１０５の加入者個人情報１０６に設定する機能を有する。データ設定部１０１は、また、加入者からＩＰ電話サービスの解約要求があった場合に、同様の操作入力により当該加入者のＩＰ電話番号及び貸与されるターミナルアダプタのＭＡＣアドレスを加入者個人情報１０６から削除する機能を有する。
【００１５】
サービスオーダー処理部１０３は、ＩＰ電話交換機４００に対しサービスオーダーを発行することでＩＰ電話交換機４００の動作を制御する。サービスオーダー処理部１０３は、当該加入者のＩＰ電話番号及びＩＰアドレスを含むサービスオーダをＩＰ電話交換機４００に発行し、加入者情報としてＩＰ電話交換機４００に保持せしめることで、当該加入者の電話機の交換サービスの始動をなすことができる。同様にして、解約対象となる加入者についてサービス停止する旨のサービスオーダをＩＰ電話交換機４００に発行することで当該加入者の電話機の交換サービスの停止をなすことができる。
【００１６】
ＤＨＣＰサーバ設定処理部１０２は、ＤＨＣＰサーバ３００の通常の動作条件を設定とすると共に、ＭＡＣ−ＩＰ情報テーブル１０９におけるＩＰアドレスの値を払い出しＩＰアドレス管理部１０４を用いて決定し、これをＤＨＣＰサーバ３００に転送してＭＡＣ−ＩＰ情報テーブル１０９’として保持せしめることで、ＤＨＣＰサーバ３００におけるＩＰアドレスの割り当て形態を制御する機能を有する。
【００１７】
払い出しＩＰアドレス管理部１０４は、ＩＰアドレスの管理を行い、新規の加入者の登録に応じて払出可の状態のアドレスを新たに割当アドレスとして設定する機能と、加入者の解約に応じて当該ＩＰアドレスを解放する機能とを有する。ＩＰアドレス管理部１０４は、更に、解放されたＩＰアドレスを一定期間にわたって払出不可（割当禁止）とする不可期間を設定する機能を有する。払出不可の状態とされたＩＰアドレスは当該不可期間が経過後に「払出可」にされるが、それまでは払い出しが実行されない。この不可期間の間、従前に当該ＩＰアドレスを割り当てられていたターミナルアダプタ（例えば、ターミナルアダプタ２００ａ）からの再取得要求に対して、或いは他のターミナルアダプタ（例えば、ターミナルアダプタ２００ｂ又は２００ｃ）からの新規取得要求に対しても当該ＩＰアドレスは払い出されない。
【００１８】
ＤＨＣＰサーバ３００は、クライアントすなわち複数のターミナルアダプタ２００ａ乃至２００ｃからの要求に応じて各々にＩＰアドレスを返信してアドレス設定せしめる機能を有するサーバである。ＤＨＣＰサーバ３００は、加入者情報管理装置１００のＤＨＣＰサーバ設定処理部１０２から転送されるＭＡＣ−ＩＰ情報テーブル１０９をＭＡＣ−ＩＰ情報テーブル１０９’として保持する。ＩＰアドレスの割り当ては、複数のターミナルアダプタ２００ａ乃至２００ｃの各々のＭＡＣアドレスに対応づけられたＩＰアドレスを返信することでなされる。
【００１９】
ＩＰ電話交換機４００は、ＩＰ電話通信における電話交換機を構成し、外部のネットワークを介した他の電話機（図示せず）との電話交換を実現する。ＩＰ電話交換機４００の交換動作は、加入者情報管理装置１００から発行されるサービスオーダにより基づいて始動又は停止される。サービスオーダの送信にはＩＰ電話番号及びＩＰアドレスが含まれる。
【００２０】
図２は、図１において示されるＭＡＣ−ＩＰ情報テーブル１０９の例を示している。ここで、ＭＡＣ−ＩＰ情報テーブル１０９は、予め用意される複数のＩＰアドレスの各々に対応して複数のＭＡＣアドレスと、割当状態を表す情報と、不可期間とが対応付けられている。割当状態としては、「割当済」、「払出不可（解放）」及び「払出可（未割当）」の３つの状態がある。「割当済」の状態は、当該ＩＰアドレスが特定のターミナルアダプタに割り当てられて、その「装置識別子」としてＭＡＣアドレスが対応付けられている状態を意味する。「払出不可」の状態は、新規の払い出しが「不可期間」中に有り、払出が禁止されている状態を意味する。「払出可」の状態は、まったく未使用であって払出が可能であるか、かつて「払出不可」であったが「不可期間」を経過したことから払出可となった状態を意味する。不可期間は、新規に払い出しを不可とする期間を意味する。不可期間の値は、加入者の加入期間又はターミナルアダプタのリース期間とすることで当該通信装置が稼働が許与されるか又は稼働するはずの「稼働期間」に設定される。
【００２１】
図示される例について見ると、１行目を参照すると、ＩＰアドレス「xxx.xxx.xxx.001」には、「AB-CD-EF-GH-IJ-01」のＭＡＣアドレスが対応し、「割当済」の状態に有り且つ不可期間が「１カ月」に設定されている。４行目を参照すると、ＩＰアドレス「xxx.xxx.xxx.004」には、ＭＡＣアドレスが削除され、「払出不可」の状態に有り且つ不可期間が「１カ月」に設定されている。すなわち、このアドレスは、「１カ月」の不可期間に有り払出が禁止されている。５行目を参照すると、ＩＰアドレス「xxx.xxx.xxx.005」には、ＭＡＣアドレスが未設定であり、「払出可」の状態に有り且つ不可期間が未定に設定されている。すなわち、このアドレスは、まったく割り当てがなされておらず、以後の割り当てのために留保されている状態にある。本図の例の如きＭＡＣ−ＩＰ情報テーブル１０９の内容は、図１に示される如く加入者情報管理装置１００からＤＨＣＰサーバ３００に転送され、ＤＨＣＰサーバ３００は、このＭＡＣ−ＩＰ情報テーブル１０９をＭＡＣ−ＩＰ情報テーブル１０９’として保持し、これに基づいて以後のＩＰアドレスの割り当てを行う。
【００２２】
図３は、本発明のアドレス管理方法における加入者登録のための処理手順を示している。この処理手順について図１に示される構成要素を適宜参照して説明する。本図の処理手順は、例としてターミナルアダプタ２００ａが新規登録されるとしている。
【００２３】
先ず、加入者情報管理装置１００は、外部からの加入者登録の受け付ける（ステップＳ００１）。これに応じて、加入者情報管理装置１００のデータ設定部１０１は、加入者個人情報の登録を行う（ステップＳ００２）。ここで、ＩＰ電話番号及び加入者に予め貸与されるターミナルアダプタ２００ａのＭＡＣアドレスが加入者個人情報１０６に設定される。次いで、払い出しＩＰアドレス管理部１０４が、ＭＡＣ−ＩＰ情報テーブル１０９において「払出可」のＩＰアドレスを検索して、これに当該ＭＡＣアドレスを設定する（ステップＳ００３）。次いで、ＤＨＣＰサーバ設定部１０２が、このＭＡＣ−ＩＰ情報テーブル１０９の内容をＤＨＣＰサーバ３００に転送する（ステップＳ００４）。更に、サービスオーダ処理部１０３がＩＰ電話交換機４００にＩＰ電話番号及び決定されたＩＰアドレスを転送することで、ＩＰ電話交換機４００へのサービスオーダを発行する（ステップＳ００５）。これにより、加入者の電話機２１０ａは、以後、ＩＰ電話交換機４００による交換サービスを受けることが可能となる。最後に、データ設定部１０１は、当該加入者のターミナルアダプタ２００ａに決定されたＩＰアドレスを加入者個人情報１０６に設定することで、登録処理を完了する（ステップＳ００６）。
【００２４】
一方、ＤＨＣＰサーバ３００は、加入者情報管理装置１００から転送されたＭＡＣ−ＩＰ情報テーブル１０９を受信して、これを自身に保持されるＭＡＣ−ＩＰ情報テーブル１０９’として設定する（ステップＳ００７）。以後、ＤＨＣＰサーバ３００は、このＭＡＣ−ＩＰ情報テーブル１０９’に基づいてクライアントすなわちターミナルアダプタ２００ａ乃至２００ｃに対するアドレスの割り当てを実行することになる。
【００２５】
一方、新規に登録されたターミナルアダプタ２００ａは、その動作の開始に応じて、電源投入又はリース期間終了であるか否かを判定する（ステップＳ００８）。「電源投入又はリース期間終了である」に該当しない場合にはそのまま動作を継続するが、説明上新規登録であることから「電源投入」であると判定されたとすると、ＤＨＣＰサーバ３００に対してＩＰアドレスを要求する（ステップＳ００９）。これに応じて、ＤＨＣＰサーバ３００は、ＭＡＣ−ＩＰ情報テーブル１０９’を検索してＭＡＣアドレスに対応するＩＰアドレスをターミナルアダプタ２００ａに与える（ステップＳ０１０）。この際に、ターミナルアダプタ２００ａは、リース期間（稼働期間）をＩＰアドレスと共に受信しても良い。ターミナルアダプタ２００ａは、このＩＰアドレスを自身のＩＰアドレスとして設定する（ステップＳ０１１）。これにより、ターミナルアダプタ２００ａは、それに接続された電話機２１０ａのためにＩＰ電話通信を実行することができる。（ステップＳ０１２）。
【００２６】
図４は、本発明のアドレス管理方法における加入者解約のための処理手順を示している。この処理手順について図１に示される構成要素を適宜参照して説明する。本図の処理手順は、例としてターミナルアダプタ２００ｂが解約対象であるとしている。
【００２７】
先ず、加入者情報管理装置１００は、外部からの加入者解約を受け付ける（ステップＳ１０１）。これに応じて、加入者情報管理装置１００のデータ設定部１０１は、当該解約対象の加入者を加入者個人情報から削除する（ステップＳ１０２）。すなわち、ＩＰ電話番号に対応して設定されていたターミナルアダプタ２００ｂのＭＡＣアドレス及びＩＰアドレスが加入者個人情報１０６から削除される。次いで、払い出しＩＰアドレス管理部１０４が、解約対象のターミナルアダプタ２００ｂのＭＡＣアドレスを削除すると共に、当該ＩＰアドレスを一定期間払出不可としてＭＡＣ−ＩＰ情報テーブル１０９を設定する（ステップＳ１０３）。次いで、ＤＨＣＰサーバ設定部１０２が、このＭＡＣ−ＩＰ情報テーブル１０９の内容をＤＨＣＰサーバ３００に転送する（ステップＳ１０４）。更に、サービスオーダ処理部１０３がＩＰ電話交換機４００にＩＰ電話番号に対応する加入者についてサービス停止オーダを発行する（ステップＳ１０５）。これにより、ＩＰ電話交換機４００における当該ＩＰ電話番号に対応するＩＰアドレスが抹消されることから、以後、加入者電話機２１０ｂについて交換サービスが停止されることになる。最後に、データ設定部１０１は、当該加入者について全ての情報を抹消することで、解約処理を完了する（ステップＳ１０６）。
【００２８】
一方、ＤＨＣＰサーバ３００は、加入者情報管理装置１００から転送されたＭＡＣ−ＩＰ情報テーブル１０９を受信して、これを自身に保持されるＭＡＣ−ＩＰ情報テーブル１０９’として設定する（ステップＳ１０７）。以後、ＤＨＣＰサーバ３００は、このＭＡＣ−ＩＰ情報テーブル１０９’に基づいてクライアントすなわちターミナルアダプタ２００ａ乃至２００ｃに対するアドレスの割り当てを実行することになる。
【００２９】
一方、解約対象のターミナルアダプタ２００ｂが、その動作の継続している場合、電源投入又はリース期間終了であるか否かを判定する（ステップＳ１０８）。「電源投入又はリース期間終了である」に該当しない場合にはそのまま動作を継続するが、説明上解約対象のターミナルアダプタであり「リース期間終了」であると判定されたとすると、ＤＨＣＰサーバ３００に対してＩＰアドレスを要求する（ステップＳ１０９）。これに応じて、ＤＨＣＰサーバ３００は、ＭＡＣ−ＩＰ情報テーブル１０９’を検索するが、ＭＡＣアドレスに対応するＩＰアドレスが「払出不可」状態とされていることから、ＭＡＣアドレスに対応するＩＰアドレスがなく割り当て不能となる（ステップＳ１１０）。これにより、ターミナルアダプタ２００ｂは、ＩＰアドレスが設定されず、それに接続された電話機２１０ｂはＩＰ電話通信の実行が不能となる。（ステップＳ１１１）。
【００３０】
以上のように本実施例においは、加入者情報管理装置１００の払い出しＩＰアドレス管理部１０４には、ＩＰアドレスの払い出し不可期間を制御する構成が与えられている。払い出しＩＰアドレス管理部１０４は、加入者情報管理装置１００が一度使用したＩＰアドレスを解放する際に、ＤＨＣＰサーバ３００のリースタイム等のＩＰアドレスの払い出し不可期間の時間内においては、該当ＩＰアドレスを払い出さないような制御を行う。これにより、ネットワーク上に同一ＩＰアドレスを持つターミナルアダブタか常に存在しないようなアドレス管理を行うことができる。
【００３１】
尚、以上の実施例においては、加入者情報管理装置の構成要素として、データ設定部、ＤＨＣＰサーバ設定処理部、サービスオーダー処理部、及び払い出しＩＰアドレス管理部を有する構成が示されたが、本発明によるアドレス管理方法及び装置は、かかる分散された機能構成に限定されない。本実施例におけるアドレス管理方法及び装置の説明は、実装上のハードウェア及びソフトウェア構成を限定するものではない。
【産業上の利用可能性】
【００３２】
本発明によるアドレス管理方法及び装置は、説明された実施例の如きＩＰ電話網におけるターミナルアダプタのアドレス管理方法及び装置に限定されず、ＤＨＣＰサーバの如くクライアントからの要求に応じてアドレスを端末に割り当てる形態を含むデータ通信ネットワークに適用され得る。
【図面の簡単な説明】
【００３３】
【図１】本発明の第１の実施例を示し、加入者情報管理装置１００を含む全体の構成を示しているブロック図である。
【図２】図１において示されるＭＡＣ−ＩＰ情報テーブル１０９の例を示している説明図である。
【図３】本発明のアドレス管理方法における加入者登録のための処理手順を示しているフローチャートである。
【図４】本発明のアドレス管理方法における加入者解約のための処理手順を示しているフローチャートである。
【符号の説明】
【００３４】
１００  加入者情報管理装置
１０１  データ設定部
１０２  ＤＨＣＰサーバ設定部
１０３  サービスオーダ処理部
１０４  払い出しＩＰアドレス管理部
１０５  管理情報ＤＢ
１０６  加入者個人情報
１０７  ＩＰ電話交換機情報
１０８  ＤＨＣＰサーバ情報
１０９  ＭＡＣ−ＩＰ情報テーブル
２００ａ乃至２００ｃ  ターミナルアダプタ
２１０ａ乃至２１０ｃ  電話機
３００  ＤＨＣＰサーバ
４００  ＩＰ電話交換機
５００  ＩＰネットワーク
【図１】
2005217595.tif 000003
【図２】
2005217595.tif 000004
【図３】
2005217595.tif 000005
【図４】
2005217595.tif 000006